(57)【特許請求の範囲】
【請求項１】
内部に陰極を有する陰極室と内部に陽極を有する陽極室とを電解隔膜を介して形成して、陰極室と陽極室とのそれぞれの一側に水の流入口を設けると共に他側に水の流出口を設け、電解隔膜を支持すると共に陰極室と陽極室の流入口側から流出口側に至る方向を長手方向とする整流リブが形成された隔膜支持体を設けて、整流リブによって仕切られる流水路を陰極室と陽極室とに形成し、整流リブの流入口側端部に該整流リブによって仕切られている隣合う流水路に水が流動可能となる流動部を形成して成ることを特徴とする電解槽。
【請求項２】
流出口と流入口より流出入する水の方向が整流リブの長手方向と略同一となるように流出口と流入口とを設け、隔膜支持体に整流リブを複数形成して、該複数形成した整流リブのうち流入口より遠い整流リブほど流動部を長く形成して成ることを特徴とする請求項１記載の電解槽。
【請求項３】
流入口より流入する水が直接流水路に流入するのを妨げる邪魔板を流入口近傍に設けて成ることを特徴とする請求項２記載の電解槽。
【請求項４】
流出口と流入口より流出入する水の方向が整流リブの長手方向と略直交するように流出口と流入口とを設け、隔膜支持体に整流リブを複数形成して、該複数形成した整流リブのうち流入口より遠い整流リブほど流動部を短く形成して成ることを特徴とする請求項１記載の電解槽。
【請求項５】
複数の整流リブに形成する流動部間に平坦面を形成して成ることを特徴とする請求項１記載の電解槽。
【請求項６】
平坦面を整流リブの流動部でのリブ突出高さと略面一に形成して成ることを特徴とする請求項５記載の電解槽。
【発明の詳細な説明】
【０００１】
【発明の属する技術分野】
本発明は、水道水や井戸水等を電気分解してアルカリイオン水と酸性イオン水とを生成するイオン水生成器の電解槽に関し、更に詳しくは、連続式のうちのユニットセル方式の電解槽に関するものである。
【０００２】
【従来の技術】
従来より、水道水や井戸水等を電気分解してアルカリイオン水と酸性イオン水とを生成するイオン水生成器には、電解槽を用いたものが一般的に使用されている。
【０００３】
電解槽は、電解隔膜（隔壁）を介して、内部に陰極を有する陰極室と、内部に陽極を有する陽極室とをそれぞれ形成してあり、更に陰極室と陽極室とには、水の流入口と流出口とを両端部にそれぞれ設けてあり、流入口から流入した水が電解隔膜で仕切られた陰極室と陽極室とで電気分解されて、陰極室側からアルカリイオン水が、陽極室側から酸性イオン水が生成されるものである。
【０００４】
このような電解槽は、その構造によってバッチ式と連続式の二つの方式に大きく分類される。バッチ式は、電解槽で生成されたアルカリイオン水と酸性水とを該電解槽に保存する方式であり（実開昭５０−６４６４３参照）、連続式は、電解槽の陰極室と陽極室とに水を連続的に流出入して、アルカリイオン水と酸性イオン水とを連続的に得られる方式である。この二つの方式のうち連続式の方が、連続してアルカリイオン水を得られる便利さから、浄水機能を付加することも併せて主流となっている。
【０００５】
連続式の電解槽においては、短時間で効率よくｐＨ（水素イオン濃度を現す指標）の大きいアルカリイオン水やｐＨの小さい酸性イオン水を生成するために、あるいは電解槽の小型化を図るために、種々の構造の流水式の電解槽が提案されており、その代表的なものとして、ユニットセル方式がある。
【０００６】
ユニットセル方式は、電解槽本体の箱（セル）と、電解槽本体の箱（セル）内部に配置される隔膜付き隔膜箱とで構成され、隔膜箱内部に陽極室（又は陰極室）が形成されると共に、隔膜箱外部で且つ電解槽本体の箱（セル）内部に陰極室（又は陽極室）が形成される方式である（実開平２−９５５８９，特開平３−３８２９３参照）。そして、このユニットセル方式の電解槽に関しては、高効率化を図るための工夫が種々提案されており、例えば、特開平９−２５３６４９で開示されている、電解槽の隔膜の両側に一対の枠部材によって死水域のない蛇行形状の電解液流路を形成して電解効率を向上させるものや、特開平７−３０８６７３で開示されている、原水導入口と電解室との間に原水導入室を設けると共に、原水導入口を基点とし幅方向で通路面積が変化する流速調整通路を原水導入室と電解室との間に設けて、電解室を通過する原水の電解室を通過する原水速度分布を均一化して電解効率を高めるもの等が提案されている。
【０００７】
【発明が解決しようとする課題】
しかしながら、上記特開平９−２５３６４９で開示されているものにあっては、蛇行形状の電解液流路形状では単位容積当たりの電極の有効面積が小さいために電解槽の小型化が図れず、更に、電解液流路形状が蛇行しているため、圧力損失が大きくて電解槽内部を流れる電解液の流量が低下するという問題点があった。
【０００８】
また、上記特開平７−３０８６７３で開示されているものにあっては、原水導入室を設けたことによって、その容積の分だけ電解槽が大きくなって小型化が図れないという問題点があった。
【０００９】
本発明は上記の点に鑑みてなされたものであり、その目的とするところは、小型化が図れると共に、内部を流れる水の流量が低下することなく電解効率を高めることができる電解槽を提供することを課題とするものである。
【００１０】
【課題を解決するための手段】
上記課題を解決するために本発明に係る電解槽は、内部に陰極１１を有する陰極室１と内部に陽極２１を有する陽極室２とを電解隔膜３を介して形成して、陰極室１と陽極室２とのそれぞれの一側に水の流入口４１を設けると共に他側に水の流出口４２を設け、電解隔膜３を支持すると共に陰極室１と陽極室２の流入口４１側から流出口４２側に至る方向を長手方向とする整流リブ５が形成された隔膜支持体６を設けて、整流リブ５によって仕切られる流水路７を陰極室１と陽極室２とに形成し、整流リブ５の流入口４１側端部に該整流リブ５によって仕切られている隣合う流水路７に水が流動可能となる流動部５１を形成して成ることを特徴とするものである。このような構成とすることで、整流リブ５によってそれぞれ陰極室１と陽極室２とを流れる水を整流することができるものである。
【００１１】
また、流出口４２と流入口４１より流出入する水の方向が整流リブ５の長手方向と略同一となるように流出口４２と流入口４１とを設け、隔膜支持体６に整流リブ５を複数形成して、該複数形成した整流リブ５のうち流入口４１より遠い整流リブ５ほど流動部５１を長く形成することが好ましい。このような構成とすることで、整流リブ５によって仕切られる流水路７のうち、流入口４１に近い流水路７ほど流入口４１より流入された水が多く流れるといった片寄りを軽減して、それぞれの流水路７を流れる水の量がばらつくのを一層防止することができるものである。
【００１２】
また、流入口４１より流入する水が直接流水路７に流入するのを妨げる邪魔板６１を流入口４１近傍に設けることが好ましい。このような構成とすることで、整流リブ５によって仕切られる流水路７のうち、流入口４１に近い流水路７ほど流入口４１より流入された水が多く流れるといった片寄りを尚一層軽減して、それぞれの流水路７を流れる水の量がほぼ均等になるようにすることができるものである。
【００１３】
また、流出口４２と流入口４１より流出入する水の方向が整流リブ５の長手方向と略直交するように流出口４２と流入口４１とを設け、隔膜支持体６に整流リブ５を複数形成して、該複数形成した整流リブ５のうち流入口４１より遠い整流リブ５ほど流動部５１を短く形成することが好ましい。このような構成とすることで、整流リブ５によって仕切られる流水路７のうち、流入口４１に近い流水路７ほど流入口４１より流入された水が多く流れるといった片寄りを軽減して、それぞれの流水路７を流れる水の量がばらつくのを一層防止することができるものである。
【００１４】
また、複数の整流リブ５に形成する流動部５１間に平坦面６２を形成することが好ましい。このような構成とすることで、整流リブ５に形成してある流動部５１を跨いで隣の流水路７に流動する水が、電解隔膜３のたわみによって流れが不安定になるのを抑えることができるものである。
【００１５】
また、平坦面６２を整流リブ５の流動部５１でのリブ突出高さと略面一に形成することが好ましい。このような構成とすることで、整流リブ５に形成してある流動部５１を跨いで隣の流水路７に流動する水が、電解隔膜３のたわみや整流リブ５による凹凸によって流れが不安定になるのを抑えることができるものである。
【００１６】
【発明の実施の形態】
以下、本発明の第１の実施形態を図１乃至図４に基づいて、第２の実施形態を図５乃至図８に基づいて、第３の実施形態を図９乃至図１１に基づいてそれぞれ詳細に説明する。
［第１の実施形態］
本実施形態における電解槽は、電解槽の本体容器外殻となると共に陰極室１の外殻となる電解槽ケーシング８と、電解槽ケーシング８の内部に配置されて、陰極室１の内殻となると共に陽極室２の外殻となる隔膜ケース部９とで主体が構成される。
【００１７】
電解槽ケーシング８は、図１及び図２に示すように、正面視矩形状をしていると共に側面視では幅（すなわち厚み）が正面視の幅よりも短い略箱状をしたものである。電解槽ケーシング８の内部に配置される隔膜ケース部９は、図１乃至図３に示すように、正面視で外郭が電解槽ケーシング８外郭よりも若干小さい矩形状をしていると共に、側面視での幅も電解槽ケーシング８の側面視での幅よりも短い略箱状をしたもので、電解槽ケーシング８の内面と隔膜ケース部９の外面との間には、陰極室１となる隙間が形成されるように配置される。
【００１８】
電解槽ケーシング８の下端部には、陽極室２に水を流入するための陽極室２側の流入口４１ｂが下方に向けて設けてあると共に、陰極室１に水を流入するための陰極室１側の流入口４１ａが下方に向けて設けてあり、電解槽ケーシング８の上端部には、陰極室１より水を流出するための陰極室１側の流出口４２ａが上方に向けて設けてあると共に、陽極室２より水を流出するための陽極室２側の流出口４２ｂが上方に向けて設けてある。
【００１９】
隔膜ケース部９は、上述したように、電解槽ケーシング８の内部に配置されて電解槽ケーシング８の内部を陰極室１と陽極室２とに仕切るものであるが、これは、電解隔膜３と該電解隔膜３を支持する隔膜支持体６とからなるものである。
【００２０】
隔膜支持体６は、正面視矩形状をした枠状のもので合成樹脂で成形してあり、隔膜支持体６の前端側と後端側とに正面視矩形状をした電解隔膜３をそれぞれ超音波溶着によって水密に接着して略箱状の隔膜ケース部９を形成し、前後の電解隔膜３と枠状をした隔膜支持体６とで囲まれる隔膜ケース部９の内部を陽極室２とするものである。枠状をした隔膜支持体６の下端部には、電解槽ケーシング８に設けてある陽極室２側の流入口４１ｂに対応する位置に隔膜ケース流入口４１ｃが下方に向けて設けてあると共に、隔膜支持体６の上端部には、電解槽ケーシング８に設けてある陽極室２側の流出口４２ｂに対応する位置に隔膜ケース流出口４２ｃが上方に向けて設けてあり、電解槽ケーシング８の内部に配置する際に陽極室２側の流入口４１ｂと隔膜ケース流入口４１ｃとを接続すると共に陽極室２側の流出口４２ｂと隔膜ケース流出口４２ｃとを接続して、電解槽ケーシング８に設けてある陽極室２側の流入口４１ｂより流入した水が陽極室２内に上方に流入されて、陽極室２から流出される水が電解槽ケーシング８に設けてある陽極室２側の流出口４２ｂから上方に流出されるようにしてある。
【００２１】
このような隔膜ケース部９は、電解槽ケーシング８の内部に配置された際、上述したように前後の電解隔膜３と隔膜支持体６とで囲まれる空間を陽極室２とすると共に、前側の電解隔膜３ａと電解槽ケーシング８の前側の内壁８ａとで囲まれる空間及び、後側の電解隔膜３ｂと電解槽ケーシング８の後側の内壁８ｂとで囲まれる空間を陰極室１とするものである。そして、電解槽ケーシング８の下端部に設けてある陰極室１側の流入口４１ａより流入した水は陰極室１内に上方に流入されて、陰極室１から流出される水は電解槽ケーシング８の上端部に設けてある陰極室１側の流出口４２ａから上方に流出されるようにしてある。
【００２２】
そして、陰極室１の内部には陰極１１を配設すると共に、陽極室２の内部には陽極２１を配設するものである。陽極２１は、隔膜ケース部９の内部に収納される正面視矩形状をした一枚の電極板で、前後の電解隔膜３の略中間に位置するように配設される。陰極１１は、電解槽ケーシング８の内面と隔膜ケース部９の外面との間に収納される正面視矩形状をした電極板で、隔膜ケース部９の前後両側にそれぞれ一枚ずつ、すなわち、前側の電解隔膜３ａと電解槽ケーシング８の前側の内壁８ａとの略中間に一枚配設すると共に、後側の電解隔膜３ｂと電解槽ケーシング８の後側の内壁８ｂとの略中間に一枚配設される。このような陽極２１と陰極１１は、電解槽ケーシング８の内部を陰極室１と陽極室２とに仕切っている隔膜ケース部９の電解隔膜３を介して対向配置されてある。
【００２３】
また、隔膜ケース部９には、それぞれの電解隔膜３の前後面両側に、陰極１１又は陽極２１と電解隔膜３とが密着しないようにすると共に、それぞれ陰極室１と陽極室２とを流れる水を整流するための整流リブ５が複数配設してある。本実施形態においては、上下方向を長手方向とする整流リブ５三本を横方向に互いに等間隔離して枠状をした隔膜支持体６の上片と下片とに架設し、電解隔膜３に溶着してあるが、整流リブ５の本数等は適宜決定するものであり、特にこれに限定されるものではない。整流リブ５は、それぞれ陰極１１又は陽極２１と電解隔膜３との間に配置されて、陰極室１と陽極室２の内部をそれぞれ複数の流水路７に仕切るものであり、本実施形態においては、三本の整流リブ５によって四本の流水路７に仕切ってある。
【００２４】
また更に、整流リブ５の水の流入口４１側端部には、該整流リブ５によって仕切られている両側の隣り合う流水路７間に水が流動可能となるように、整流リブ５を切欠した流動部５１が形成してある。流動部５１は、陰極１１又は陽極２１と電解隔膜３との間に配置される整流リブ５の陰極１１又は陽極２１側を切欠して、切欠した部分（すなわち流動部５１）のリブ突出高さを切欠していない部分のリブ突出高さよりも低くすることで形成してある。このようにすることで、流入口４１より流入される水が、流入口４１と連通されている流水路７ａだけでなく他の流水路７にも流入可能となる。そして、複数の整流リブ５に形成される流動部５１は、流入口４１よりも遠い整流リブ５に形成される流動部５１ほど、切欠する上下方向長さｈを長くしてあり（ｈ1＜ｈ2＜ｈ3）、このようにすることで、流入口４１に近い流水路７ほど流入口４１より流入された水が多く流れる、といった片寄りを軽減することができる。
【００２５】
そして更に、水の流入口４１よりも若干内側に入った位置には、流入口４１より流入される水の流入方向にほぼ直交するように邪魔板６１を配置してあり、このようにすることで、流入口４１より流入される水が流入口４１と連通されている流水路７ａに直接流入するのを妨げて、流入口４１に近い流水路７ほど流入口４１より流入された水が多く流れる、といった片寄りを尚一層軽減して、各流水路７にほぼ均等に水が流入されるようにすることができる。
【００２６】
以上述べたような本実施形態の電解槽にあっては、電解槽ケーシング８の下端部に下方に向けてそれぞれ設けてある陽極室２側の流入口４１ｂ又は陰極室１側の流入口４１ａから上方に向けて流入した水は、図４に示すように、それぞれ水の流入口４１よりも若干内側に入った位置に配置してある邪魔板６１にほぼ垂直にあたって進路を横方向に変え、流入口４１よりも遠いほど切欠して形成してある流動部５１の上下方向長さｈが長い複数の整流リブ５によって、各流水路７にほぼ均等に水が流入されて、電解隔膜３で仕切られた陰極室１と陽極室２とで通電された陰極１１と陽極２１とによって電気分解され、陰極室１側からアルカリイオン水が、陽極室２側から酸性イオン水が効率良く生成されるものである。
【００２７】
表１に、本実施形態の電解槽と、邪魔板６１及び流動部５１を設けない電解槽とを、電解効率ξ（％）について比較した結果を示す。流量は、動水圧０．１ＭＰａでの値を示すものである。
【００２８】
【表１】
0003846201.tif 000002
【００２９】
ここで、電解効率ξ（％）は、単位電流あたりで生成する０Ｈ-イオンの割合を示すものであり、Ｆａｒａｄａｙの法則に基づく物質移動量Ｗ（ｇ）と、実際の物質移動量Ｗ’（ｇ）とを用いて、ξ＝（ｗ’／ｗ）×１００で定義される。
【００３０】
この結果からもわかる通り、本実施形態のように邪魔板６１及び流動部５１を設けた電解槽は、陰極１１及び陽極２１を構成するそれぞれの電極板の面積を有効に利用することができると共に、陰極室１と陽極室２とを流れる水の流量が低下することなく、電解効率ξ（％）を十分に高めることができる。
［第２の実施形態］
次に、第２の実施形態について、図５乃至図８に基づいて説明する。本実施形態における電解槽は、基本的に第１の実施形態と同じであり、主に異なる点について述べる。
【００３１】
本実施形態における電解槽は、電解槽ケーシング８に設ける陽極室２側の流入口４１ｂと陰極室１側の流入口４１ａとを、第１の実施形態のように電解槽ケーシング８の下端部に陽極室２側の流入口４１ｂと陰極室１側の流入口４１ａとを下方に向けて設けるのではなく、図５に示すように、電解槽ケーシング８の両側端部の下端部に陽極室２側の流入口４１ｂと陰極室１側の流入口４１ａとをそれぞれ外側方に向けて設け、隔膜ケース部９の隔膜支持体６に設ける隔膜ケース流入口４１ｃについても、第１の実施形態のように隔膜支持体６の下端部に下方に向けて設けるのではなく、図６乃至図８に示すように、隔膜支持体６の側端部の下端部の、電解槽ケーシング８に設けてある陽極室２側の流入口４１ｂに対応する位置に外側方に向けて設けるものである。
【００３２】
また更に、整流リブ５に形成する流動部５１についても、第１の実施形態のように流入口４１よりも遠い整流リブ５に形成される流動部５１ほど切欠する上下方向長さｈを長くするものではなく、図７及び図８に示すように、流入口４１よりも遠い整流リブ５に形成される流動部５１ほど切欠する上下方向長さｈを短くする（ｈ1＞ｈ2＞ｈ3）ものである。
【００３３】
以上のようにすることで、電解槽ケーシング８の両側端部の下端部にそれぞれ外側方に向けて設けてある陽極室２側の流入口４１ｂ又は陰極室１側の流入口４１ａから内側方に向けて流入した水は、図８に示すように、流入口４１よりも遠いほど切欠して形成してある流動部５１の上下方向長さｈが短い複数の整流リブ５によって、各流水路７にほぼ均等に水が流入されて、電解隔膜３で仕切られた陰極室１と陽極室２とで通電された陰極１１と陽極２１とによって電気分解され、陰極室１側からアルカリイオン水が、陽極室２側から酸性イオン水が効率良く生成されるもので、陰極１１及び陽極２１を構成するそれぞれの電極板の面積を有効に利用することができると共に、陰極室１と陽極室２とを流れる水の流量が低下することなく、電解効率を十分に高めることができる。
［第３の実施形態］
次に、第３の実施形態について、図９乃至図１１に基づいて説明する。本実施形態における電解槽は、基本的に第１の実施形態と同じであり、主に異なる点について述べる。
【００３４】
本実施形態における電解槽は、第１の実施形態の隔膜ケース部９において、複数の整流リブ５に形成される流動部５１間に平坦面６２を形成したものである。
【００３５】
流動部５１は、第１の実施形態においても説明したように、陰極１１又は陽極２１と電解隔膜３との間に配置される整流リブ５の陰極１１又は陽極２１側を切欠して、切欠した部分（すなわち流動部５１）のリブ突出高さを切欠していない部分のリブ突出高さよりも低くしたもので、本実施形態における平坦面６２はこの流動部５１のリブ突出高さ、すなわち、切欠していない部分のリブ突出高さよりも低い切欠した部分（すなわち流動部５１）のリブ突出高さと略面一となるように形成してある。
【００３６】
平坦面６２の正面視形状としては、図９に示すように、中央の整流リブ５に形成される流動部５１の上端部を上辺とする矩形状や、図１０に示すように、各整流リブ５に形成される流動部５１の上端部を直線で結んで上斜辺とする転倒した台形状や、図１１に示すように、右側の整流リブ５に形成される流動部５１の上端部を上辺とする矩形が、上辺が段違いとなるように組み合わさった形状、といったものが挙げられる。
【００３７】
以上のようにすることで、電解槽ケーシング８の下端部に下方に向けてそれぞれ設けてある陽極室２側の流入口４１ｂ又は陰極室１側の流入口４１ａから上方に向けて流入した水は、第１の実施形態においても説明したように、それぞれ水の流入口４１よりも若干内側に入った位置に配置してある邪魔板６１にほぼ垂直にあたって進路を横方向に変え、流入口４１よりも遠い整流リブ５ほど切欠して形成してある流動部５１の上下方向長さｈが長い複数の整流リブ５によって、各流水路７にほぼ均等に水が流入されるのであるが、平坦面６２を形成してあることで、整流リブ５に形成してある流動部５１を跨いで隣の流水路７に流動する水が、電解隔膜３のたわみによって流れが不安定になるのを抑えることができて、各流水路７に流入される水の量の片寄りを更に軽減して、より一層各流水路７に均等に水が流入されるようにできる。
【００３８】
【発明の効果】
上記のように本発明の請求項１記載の発明にあっては、内部に陰極を有する陰極室と内部に陽極を有する陽極室とを電解隔膜を介して形成して、陰極室と陽極室とのそれぞれの一側に水の流入口を設けると共に他側に水の流出口を設け、電解隔膜を支持すると共に陰極室と陽極室の流入口側から流出口側に至る方向を長手方向とする整流リブが形成された隔膜支持体を設けて、整流リブによって仕切られる流水路を陰極室と陽極室とに形成し、整流リブの流入口側端部に該整流リブによって仕切られている隣合う流水路に水が流動可能となる流動部を形成したので、整流リブによってそれぞれ陰極室と陽極室とを流れる水を整流することで、陰極室と陽極室とを流れる水の流量が低下することなく電解効率を十分に高めて、陰極室側からアルカリイオン水を、陽極室側から酸性イオン水を効率良く生成することができるものである。
【００３９】
また請求項２記載の発明にあっては、上記請求項１記載の発明の効果に加えて流出口と流入口より流出入する水の方向が整流リブの長手方向と略同一となるように流出口と流入口とを設け、隔膜支持体に整流リブを複数形成して、該複数形成した整流リブのうち流入口より遠い整流リブほど流動部を長く形成したので、整流リブによって仕切られる流水路のうち、流入口に近い流水路ほど流入口より流入された水が多く流れるといった片寄りを軽減して、それぞれの流水路を流れる水の量がばらつくのを一層防止して、内部を流れる水の流量が低下することなく電解効率を高めることができるものである。
【００４０】
また請求項３記載の発明にあっては、上記請求項２記載の発明の効果に加えて流入口より流入する水が直接流水路に流入するのを妨げる邪魔板を流入口近傍に設けたので、整流リブによって仕切られる流水路のうち、流入口に近い流水路ほど流入口より流入された水が多く流れるといった片寄りを尚一層軽減して、それぞれの流水路を流れる水の量がほぼ均等になるようにして電解効率を一層高めることができるものである。
【００４１】
また請求項４記載の発明にあっては、上記請求項１記載の発明の効果に加えて流出口と流入口より流出入する水の方向が整流リブの長手方向と略直交するように流出口と流入口とを設け、隔膜支持体に整流リブを複数形成して、該複数形成した整流リブのうち流入口より遠い整流リブほど流動部を短く形成したので、整流リブによって仕切られる流水路のうち、流入口に近い流水路ほど流入口より流入された水が多く流れるといった片寄りを軽減して、それぞれの流水路を流れる水の量がばらつくのを一層防止して、内部を流れる水の流量が低下することなく電解効率を高めることができるものである。
【００４２】
また請求項５記載の発明にあっては、上記請求項１記載の発明の効果に加えて複数の整流リブに形成する流動部間に平坦面を形成したので、整流リブに形成してある流動部を跨いで隣の流水路に流動する水が、電解隔膜のたわみによって流れが不安定になるのを抑えて、内部を流れる水の流量が低下することなく電解効率を高めることができるものである。
【００４３】
また請求項６記載の発明にあっては、上記請求項５記載の発明の効果に加えて平坦面を整流リブの流動部でのリブ突出高さと略面一に形成したので、整流リブに形成してある流動部を跨いで隣の流水路に流動する水が、電解隔膜のたわみや整流リブによる凹凸によって流れが不安定になるのを抑えて、内部を流れる水の流量が低下することなく電解効率を高めることができるものである。
【図面の簡単な説明】
【図１】本発明の第１の実施形態における電解槽の一部破断正面図である。
【図２】同上の実施形態における電解槽を示し、（ａ）は一部破断側面図であり、（ｂ）は（ａ）のＡ部拡大図である。
【図３】同上の実施形態における隔膜支持体の正面図である。
【図４】同上の実施形態における水の流れの状態を示すベクトル線図である。
【図５】本発明の第２の実施形態における電解槽の一部破断正面図である。
【図６】同上の実施形態における電解槽を示し、（ａ）は一部破断側面図であり、（ｂ）は（ａ）のＢ部拡大図である。
【図７】同上の実施形態における隔膜支持体の正面図である。
【図８】同上の実施形態における水の流れの状態を示すベクトル線図である。
【図９】本発明の第３の実施形態における一隔膜支持体の正面図である。
【図１０】同上の実施形態における他の隔膜支持体の正面図である。
【図１１】同上の実施形態における更に他の隔膜支持体の正面図である。
【符号の説明】
１  陰極室
１１  陰極
２  陽極室
２１  陽極
３  電解隔膜
４１  水の流入口
４２  水の流出口
５  整流リブ
５１  流動部
６  隔膜支持体
７  流水路
【図１】
0003846201.tif 000003
【図２】
0003846201.tif 000004
【図３】
0003846201.tif 000005
【図４】
0003846201.tif 000006
【図５】
0003846201.tif 000007
【図６】
0003846201.tif 000008
【図７】
0003846201.tif 000009
【図８】
0003846201.tif 000010
【図９】
0003846201.tif 000011
【図１０】
0003846201.tif 000012
【図１１】
0003846201.tif 000013